(57)【要約】  本発明は、収納室１００と、収納室１００の一側に備えられる機械室２００とを含む多機能収納システムであって、収納室１００と機械室２００の前面（foreside）に備えられるドア６００をさらに含み、機械室２００は、外気に連通する吸気口２１０及び排気口２５０と、外気を吸気口２１０から吸入して排気口２５０から排出するファンユニット２３０とを含み、ドア６００が閉鎖され、吸気口２１０及び排気口２５０が開放された状態でファンユニット２３０が作動してドア６００の内側を乾燥させる多機能収納システムを提供する。
2021531848.tif 000002
【特許請求の範囲】
【請求項１】
収納室（１００）と、前記収納室（１００）の一側に備えられる機械室（２００）と、を含む多機能収納システムであって、
前記収納室（１００）と機械室（２００）の前面（foreside）に備えられるドア（６００）とを含み、
前記機械室（２００）は、
外気に連通する吸気口（２１０）及び排気口（２５０）と、
外気を前記吸気口（２１０）から吸入して前記排気口（２５０）から排出するファンユニット（２３０）と、を含み、
前記ドア（６００）が閉鎖され、前記吸気口（２１０）及び排気口（２５０）が開放された状態で前記ファンユニット（２３０）が作動して前記ドア（６００）の内側を乾燥させる、
多機能収納システム。
【請求項２】
前記収納室(１００)と前記機械室(２００)を連通させる循環空気流入口(１４１)及び循環空気流出口(１４２)をさらに含み、
前記ドア(６００)の内側を乾燥させるドア乾燥モードでは、
前記循環空気流入口(１４１)及び循環空気流出口(１４２)が閉鎖された状態で前記ファンユニット(２３０)が作動する、
請求項１に記載の多機能収納システム。
【請求項３】
前記収納室（１００）の上端部には、再循環ファンを含む再循環モジュール（３００）が備えられ、前記再循環モジュール（３００）は、前記収納室（１００）の内部の下方に空気を吐出し、
前記収納室（１００）を乾燥させる収納室乾燥モードでは、
前記循環空気流入口（１４１）及び循環空気流出口（１４２）が閉鎖された状態で前記再循環ファンが作動し、
前記ドア乾燥モード及び前記収納室乾燥モードが同時に実行される、
請求項２に記載の多機能収納システム。
【請求項４】
前記機械室（２００）は、
前記吸気口（２１０）から吸気された外気を濾過する清浄フィルターユニット（２１９）をさらに含み、
前記ドア（６００）は、
一側に排気ドア（６５０）が形成され、前記吸気口（２１０）を除く前記機械室（２００）と収納室（１００）の前面をカバーするように形成され、
外気を濾過する空気清浄モードでは、
前記循環空気流入口（１４１）及び循環空気流出口（１４２）が閉鎖され、前記吸気口（２１０）、排気口（２５０）及び排気ドア（６５０）が開放され、
前記ドア乾燥モード及び収納室乾燥モードでは、前記排気ドア（６５０）が閉鎖される、
請求項２に記載の多機能収納システム。
【請求項５】
前記排気ドア（６５０）は、
前記ドア（６００）が閉鎖されたときに前記機械室（２００）の排気口（２５０）に対向する位置に形成される、
請求項４に記載の多機能収納システム。
【請求項６】
請求項１に記載の多機能収納システムを用いてドアの内側を乾燥させる方法であって、
（ａ）前記ドア（６００）が閉鎖された状態で前記ドア（６００）の内面に対向する排気口（２５０）及び前記吸気口（２１０）が全て開放されるステップ（Ｓ１００）と、
（ｂ）前記機械室（２００）に備えられるファンユニット（２３０）が作動し、外気が前記吸気口（２１０）から吸入され、その後前記排気口（２５０）から排出され、前記排気口（２５０）から排出される空気により前記ドア（６００）の内側を乾燥させるステップ（Ｓ１１０）と、を含む、
多機能収納システムのドアの内側を乾燥させる方法。
【請求項７】
前記ドア（６００）は、
一側に排気ドア（６５０）が形成され、前記吸気口（２１０）を除く前記機械室（２００）と収納室（１００）の前面をカバーするように形成され、
前記（ａ）ステップは、
（ａ１）前記排気ドア（６５０）が開放されている場合は前記排気ドア（６５０）が閉鎖されるステップ（Ｓ１０２）をさらに含む、
請求項６に記載の多機能収納システムのドアの内側を乾燥させる方法。
【請求項８】
前記（ａ）ステップは、
（ａ２）前記収納室（１００）及び機械室（２００）の連通が遮断されるステップ（Ｓ１０４）をさらに含む、
請求項６に記載の多機能収納システムのドアの内側を乾燥させる方法。
【請求項９】
前記収納室（１００）の上端部には、再循環ファンを含む再循環モジュール（３００）が備えられ、前記再循環モジュール（３００）は、前記収納室（１００）の内部の下方に空気を吐出し、
前記（ｂ）ステップは、前記ファンユニット（２３０）が作動すると、前記再循環ファンが同時に作動する、
請求項８に記載の多機能収納システムのドアの内側を乾燥させる方法。
【請求項１０】
前記収納室（１００）を流動する循環空気を除湿する除湿部（２６０）と、
前記収納室(１００)と前記機械室(２００)を連通させる循環空気流入口(１４１)及び循環空気流出口(１４２)と、
前記循環空気流入口（１４１）から前記収納室（１００）に供給される循環空気に水分を供給する循環フィルターユニット（２２９）と、
前記排気口（２５０）側に備えられる除湿ファン（２９０）と、をさらに含み、
前記除湿ファン（２９０）は、前記排気口（２５０）から流出する循環空気を乾燥させる、
請求項１に記載の多機能収納システム。
【請求項１１】
前記除湿ファン（２９０）は、
前記排気口（２５０）から吐出される空気の方向を基準に、前記排気口（２５０）の端部側に備えられる、
請求項１０に記載の多機能収納システム。
【請求項１２】
前記除湿ファン（２９０）は、
前記排気口（２５０）の両端部側にそれぞれ備えられ、対向する方向に送風するように形成される、
請求項１１に記載の多機能収納システム。
【請求項１３】
前記除湿ファン（２９０）は、
前記排気口（２５０）内の側端部に備えられ、前記排気口（２５０）から吐出される空気の方向と垂直な方向に送風するように形成される、
請求項１０に記載の多機能収納システム。
【請求項１４】
前記除湿ファン（２９０）は、
前記循環空気流入口（１４１）及び循環空気流出口（１４２）が開放され、前記排気口（２５０）が閉鎖された状態で、前記循環フィルターユニット（２２９）により生成された自然加湿空気が前記ファンユニット（２３０）により前記収納室（１００）に供給されて循環する際に作動する、
請求項１０に記載の多機能収納システム。
【請求項１５】
前記機械室（２００）は、
ファンユニット（２３０）に連通する第１流路（２２０）と、
前記排気口（２５０）、ファンユニット（２３０）、第１流路（２２０）及び収納室（１００）にそれぞれ連通する第２流路（２４０）と、
前記循環空気流入口（１４１）を開閉する第１流路切替部材（２４１）と、
前記循環空気流出口（１４２）を開閉する第２流路切替部材（２４２）とをさらに含み、
前記第１流路切替部材（２４１）及び第２流路切替部材（２４２）は、前記第２流路（２４０）を前記排気口（２５０）又は前記収納室（１００）に選択的に連通させ、
前記除湿ファン（２９０）は、
前記第２流路（２４０）及び収納室（１００）が連通する状態で作動する、
請求項１４に記載の多機能収納システム。
【発明の詳細な説明】
【技術分野】
【０００１】
本発明は、ドアの内側の水滴付着防止のための多機能収納システム及びそれを用いてドアの内側を乾燥させる方法に関し、より詳細には、多機能収納システムの下端部に水滴が付着して床面に落水する現象を防止するためにドアの内側を乾燥させる多機能収納システム及びそれを用いる乾燥方法に関する。
【背景技術】
【０００２】
内部に衣類、布団、各種日用品などを収納する一種のキャビネット（cabinet）である箪笥、収納家具、衣類管理機などにおいて、ユーザが当該物品を直接使用している間にその物品に付着した埃などの汚染物質や悪臭物質などを除去し、シワを改善するために、スチームが用いられる。
【０００３】
キャビネットの内部でスチームが衣類などの物品に直接噴射されると、スチームの水分子が汚染物質や悪臭物質を含んで共に蒸発することにより、汚染物質や悪臭物質が除去され、それと同時にシワが改善される原理を用いたものである。
【０００４】
ここで、「スチーム（steam）」とは、約１００℃の高温水を高圧ノズルなどから気体の形態で噴射したものを意味し、常温で噴射を行うと白煙のように目視できる。
【０００５】
しかし、スチームを用いると、衣類などに損傷が生じることが報告されており、問題となっている。一例として、敏感な材質の衣類に高温のスチーム又は高温／高圧のスチームを直接噴射すると、当該材質に損傷が生じることがある。他の例として、スチームにより生成される水分子が常温で噴射されてその後凝縮すると水滴になるが、除湿が効果的に行われないと衣類に水滴がそのまま残り、その状態が長く続くと敏感な材質の衣類に損傷が生じることがある。
【０００６】
さらに、衣類などに含まれるプラスチックの部分などにスチームが直接噴射されると、人体に非常に有害な環境ホルモンが生成されるという致命的な問題が生じるので、高温のスチームを用いることなく、収納室の内部に収納された衣類などをクリーニングすることのできる技術が強く求められている。
【０００７】
一方、一種のキャビネット（cabinet）である箪笥、収納家具、衣類管理機などにおいて、ドアが閉鎖された状態で衣類管理モードを実行すると、衣類が収納された空間を循環する空気は、相対的に外気より高温高湿の空気になる。ここで、ドアが閉鎖された状態でこのような空気が内部で循環することにより、ドアの内面に水蒸気が凝結したり、水滴が付着して床面に落水するという問題が生じる。落水現象により、高温高湿の空気が外部に漏れることもある。このような問題は、周期的に床面に落水した水を除去しなければならないという不便をユーザにもたらし、ユーザが落水した水を除去しないと、細菌が繁殖するなど、空間の清潔さの維持が非常に困難になる。よって、最近は、衣類管理機などのドアの内側に水滴付着現象を防止することのできる技術が強く求められている。
【先行技術文献】
【特許文献】
【０００８】
【特許文献１】韓国公開特許第１０−２００７−０１１０６５３号公報
【発明の概要】
【発明が解決しようとする課題】
【０００９】
本発明は、前記問題を解決するためになされたものである。
【００１０】
具体的には、多機能収納システムのドアの内側の水滴を乾燥させる乾燥方法、及びそれを行う多機能収納システムの構造を提案する。
【００１１】
また、多機能収納システムの様々な構成要素を用いて、ドア自体をヒーティングせずにドアの内面を乾燥させる方法及び構造を提案する。
【００１２】
衣類管理モードを実行しているときにドアの内面に一部が漏れる高温高湿の空気により発生する水滴を除去する多機能収納システムの構造を提案する。
【課題を解決するための手段】
【００１３】
前記課題を解決するための本発明の一実施形態は、収納室１００と、収納室１００の一側に備えられる機械室２００とを含む多機能収納システムであって、収納室１００と機械室２００の前面（foreside）に備えられるドア６００をさらに含み、機械室２００は、外気に連通する吸気口２１０及び排気口２５０と、外気を吸気口２１０から吸入して排気口２５０から排出するファンユニット２３０とを含み、ドア６００が閉鎖され、吸気口２１０及び排気口２５０が開放された状態でファンユニット２３０が作動してドア６００の内側を乾燥させる多機能収納システムを提供する。
【００１４】
また、収納室１００と機械室２００を連通させる循環空気流入口１４１及び循環空気流出口１４２をさらに含み、ドア６００の内側を乾燥させるドア乾燥モードでは、循環空気流入口１４１及び循環空気流出口１４２が閉鎖された状態でファンユニット２３０が作動するようにしてもよい。
【００１５】
さらに、収納室１００の上端部には、再循環ファンを含む再循環モジュール３００が備えられ、再循環モジュール３００は、収納室１００の内部の下方に空気を吐出し、収納室１００を乾燥させる収納室乾燥モードでは、循環空気流入口１４１及び循環空気流出口１４２が閉鎖された状態で前記再循環ファンが作動し、前記ドア乾燥モード及び前記収納室乾燥モードが同時に実行されるようにしてもよい。
【００１６】
さらに、機械室２００は、吸気口２１０から吸気された外気を濾過する清浄フィルターユニット２１９をさらに含み、ドア６００は、一側に排気ドア６５０が形成され、吸気口２１０を除く機械室２００と収納室１００の前面をカバーするように形成され、外気を濾過する空気清浄モードでは、循環空気流入口１４１及び循環空気流出口１４２が閉鎖され、吸気口２１０、排気口２５０及び排気ドア６５０が開放され、前記ドア乾燥モード及び収納室乾燥モードでは、排気ドア６５０が閉鎖されるようにしてもよい。
【００１７】
さらに、排気ドア６５０は、ドア６００が閉鎖されたときに機械室２００の排気口２５０に対向する位置に形成されてもよい。
【００１８】
本発明は、前述した多機能収納システムを用いてドアの内側を乾燥させる方法であって、（ａ）ドア６００が閉鎖された状態でドア６００の内面に対向する排気口２５０及び吸気口２１０が全て開放されるステップＳ１００と、（ｂ）機械室２００に備えられるファンユニット２３０が作動し、外気が吸気口２１０から吸入され、その後排気口２５０から排出され、排気口２５０から排出される空気によりドア６００の内側を乾燥させるステップＳ１１０とを含む、多機能収納システムのドアの内側を乾燥させる方法を提供する。
【００１９】
ここで、ドア６００は、一側に排気ドア６５０が形成され、吸気口２１０を除く機械室２００と収納室１００の前面をカバーするように形成され、前記（ａ）ステップは、（ａ１）排気ドア６５０が開放されている場合は排気ドア６５０が閉鎖されるステップＳ１０２をさらに含んでもよい。
【００２０】
また、前記（ａ）ステップは、（ａ２）収納室１００及び機械室２００の連通が遮断されるステップＳ１０４をさらに含んでもよい。
【００２１】
さらに、収納室１００の上端部には、再循環ファンを含む再循環モジュール３００が備えられ、再循環モジュール３００は、収納室１００の内部の下方に空気を吐出し、前記（ｂ）ステップは、ファンユニット２３０が作動すると、前記再循環ファンが同時に作動するようにしてもよい。
【００２２】
さらに、本発明の他の実施形態は、収納室１００を流動する循環空気を除湿する除湿部２６０と、収納室１００と機械室２００を連通させる循環空気流入口１４１及び循環空気流出口１４２と、循環空気流入口１４１から収納室１００に供給される循環空気に水分を供給する循環フィルターユニット２２９と、排気口２５０側に備えられる除湿ファン２９０とをさらに含み、除湿ファン２９０は、排気口２５０から流出する循環空気を乾燥させる多機能収納システムを提供する。
【００２３】
ここで、除湿ファン２９０は、排気口２５０から吐出される空気の方向を基準に、排気口２５０の端部側に備えられてもよい。
【００２４】
また、除湿ファン２９０は、排気口２５０の両端部側にそれぞれ備えられ、対向する方向に送風するように形成されてもよい。
【００２５】
さらに、除湿ファン２９０は、排気口２５０内の側端部に備えられ、排気口２５０から吐出される空気の方向と垂直な方向に送風するように形成されてもよい。
【００２６】
さらに、除湿ファン２９０は、循環空気流入口１４１及び循環空気流出口１４２が開放され、排気口２５０が閉鎖された状態で、循環フィルターユニット２２９により生成された自然加湿空気がファンユニット２３０により収納室１００に供給されて循環する際に作動するようにしてもよい。
【００２７】
さらに、機械室２００は、ファンユニット２３０に連通する第１流路２２０と、排気口２５０、ファンユニット２３０、第１流路２２０及び収納室１００にそれぞれ連通する第２流路２４０と、循環空気流入口１４１を開閉する第１流路切替部材２４１と、循環空気流出口１４２を開閉する第２流路切替部材２４２とをさらに含み、第１流路切替部材２４１及び第２流路切替部材２４２は、第２流路２４０を排気口２５０又は収納室１００に選択的に連通させ、除湿ファン２９０は、第２流路２４０及び収納室１００が連通する状態で作動するようにしてもよい。
【発明の効果】
【００２８】
本発明は、ドアが閉鎖された状態でファンユニットを作動してドアの内側を乾燥させることにより、ユーザのいかなる行為も必要とせず、ドアの内側に付着した水滴を除去できるという効果を奏する。また、ドアに別途に排気ドアを備えることにより、ドア乾燥モードから空気清浄モードへの切り替え又はその逆の切り替えの際に、最小限の構成要素の作動で前記モードの切り替えを可能にする。ドア自体を加熱する方法ではなく、ドアの内側に乾燥空気を供給する方法を採用することにより、電力消費を最小限に抑えることができるという効果を奏する。
【００２９】
また、本発明は、排気口内に別途の除湿ファンを備え、除湿ファンにより排気口の吐出方向と垂直な方向に空気が送風され、排気口内でエアカーテンを形成することができるので、衣類管理モードで高温高湿の循環空気が外部に流失する現象を抑制することができる。衣類管理モードを実行しているときに高温高湿の循環空気が外部に流出しても、除湿ファンにより乾燥空気が送風されて乾燥させることができるので、ドアと機械室間の空間に高温高湿の空気が滞留する現象を防止することができる。
【００３０】
よって、ドアの内側部及び機械室の外面、ガスケットの周辺に凝結する水滴の発生を防止することができ、多機能収納システムが設置された空間の清潔状態を改善すると共に、床面に落水する水滴を除去しなければならないという不便をユーザにもたらさず、ユーザの利便性を向上させるという効果を奏する。
【図面の簡単な説明】
【００３１】
【図１】本発明による多機能収納システムの外観を示す斜視図である。
【図２ａ】本発明による多機能収納システムのドアが閉鎖された状態を示す正面図である。
【図２ｂ】本発明による多機能収納システムのドアが開放された状態を示す正面図である。
【図３】本発明による多機能収納システムの内部を示す斜視図であり、説明のためにケーシング、ドア及び再循環モジュールを除去している。
【図４】本発明による多機能収納システムの内部を示す右側面図である。
【図５】本発明による多機能収納システムのドアの内側の水滴付着防止のための乾燥方法を示すフローチャートである。
【図６】本発明の一実施形態による多機能収納システムのドアの内側の水滴付着防止のための乾燥方法について説明するための概念図である。
【図７】本発明の他の実施形態による多機能収納システムのドアの内側の水滴付着防止のための乾燥方法について説明するための概念図である。
【図８】本発明の多機能収納システムの空気清浄モードについて説明するための概念図である。
【図９】本発明の多機能収納システムの衣類管理モードについて説明するための概念図である。
【図１０】本発明による多機能収納システムのうち除湿ファンが備えられる実施形態のドアが開放された状態を示す正面図である。
【図１１】図１０の実施形態の内部を示す斜視図であり、説明のためにケーシング、ドア及び再循環モジュールを除去している。
【図１２】図１０の実施形態の機械室を示す斜視図であり、排気口内に除湿ファンが備えられる態様である。
【図１３】図１０の実施形態における衣類管理モードについて説明するための概念図である。
【図１４】図１０の実施形態における空気清浄モードについて説明するための概念図である。
【発明を実施するための形態】
【００３２】
以下、図面を参照して、本発明による多機能収納システムについて説明する。
【００３３】
説明のために、正面（Ｘ軸）、背面（−Ｘ軸）、右側（Ｙ軸）、左側（−Ｙ軸）、上方（Ｚ軸）、下方（−Ｚ軸）などの用語を用い、図面に座標系を示すが、これらはあくまで説明のためのものであり、当該方向に本発明が限定されるものではない。
【００３４】
多機能収納システムの構造についての説明
図１〜図４を参照して、本発明による多機能収納システムについて説明する。
【００３５】
本発明による多機能収納システムは、収納室１００と、機械室２００と、再循環モジュール３００と、ケーシング５００と、ドア６００とを含む。
【００３６】
図１、図２ａ及び図２ｂに示すように、ケーシング５００は、多機能収納システムの外観を形成する。
【００３７】
まず、ドア６００は、多機能収納システムの前面を形成するものであり、ユーザは、ドア６００を開放することにより、収納室１００の内側に接近することができる。ユーザがドア６００を開放すると、収納室１００部分では収納室１００の内側が露出し、機械室２００部分では排気口２５０、供給水槽２７０及び凝縮水槽２８０が露出する。ただし、ドア６００は、吸気口２１０をカバーしない。ドア６００の最下端が吸気口２１０より上方に位置するからである。これは、空気清浄モードでドア６００を開放しなくても空気清浄が行われるようにするためである。
【００３８】
ドア６００の外面には、制御部６１０と排気ドア６５０が位置する。制御部６１０は、ユーザが作動モードを選択する入力部と、現在の作動状態を出力する出力部とを含む。排気ドア６５０は、機械室２００の排気口２５０に連通しており、空気清浄モードでドア６００を開放しなくても、排気ドア６５０さえ開放されていれば、濾過した外気を吐出することができる。
【００３９】
ドア６００は、ハーフミラー（half-mirror）からなることが好ましい。必要に応じて、収納室１００の内側に位置する衣類などをユーザにそのまま見せることができ、場合によっては、鏡の機能を有して収納室１００から衣類などを出したユーザに利便性を提供することができるからである。
【００４０】
図２ｂは本発明による多機能収納システムのドアが開放された状態を示す正面図である。図２ｂに示すように、排気ドア６５０は、ドア６００が閉鎖されたときに機械室２００の排気口２５０に対向する位置に形成されている。また、排気口２５０の前面からの異物の侵入を防止し、ユーザの不注意によるユーザの身体の傷害を防止するために、グリル部が備えられてもよく、このグリル部は、排気ドア６５０の背面にさらに備えられてもよい。なお、本発明による多機能収納システムの排気口２５０には除湿ファン２９０が備えられるが、それについては後述する。
【００４１】
収納室１００は、衣類などを収納し、汚染物質や悪臭物質などを除去する空間である。そのために、収納室１００の内部は高温に上昇し、その後自然加湿空気が循環空気として流入して循環する。具体的には、作動モードに関する説明と共に後述する。
【００４２】
収納室１００の内側には、下部面に循環フィルター脱着部１２９、循環空気流入口１４１、循環空気流出口１４２及び機能性材料収納部１４７が位置する。
【００４３】
循環フィルター脱着部１２９は、機械室２００に位置する循環フィルターユニット２２９の修理、交換などのために、それを容易に脱着できるように設けられる開口である。循環空気流入口１４１及び循環空気流出口１４２は、それぞれ収納室１００の内側の循環空気が機械室２００から流入及び流出する開口である。
【００４４】
循環空気流入口１４１は、ファンユニット２３０に連通しており、機械室２００から収納室１００の方向に空気が吐出されるように形成され、循環空気流出口１４２は、収納室１００から機械室２００の方向に空気が循環するように形成される。
【００４５】
また、収納室１００内の循環空気流入口１４１に連通する部分は、上方に傾斜して形成され、循環空気流入口１４１から流入した空気が収納室１００の内部の床面から上方に所定の角度を有して収納室１００の内部に吐出されるように形成される。よって、循環空気が循環空気流入口１４１から垂直な方向で吐出される場合より、収納室１００内に収納された衣類などに相対的に広い面積で接触するので、クリーニング効率を向上させることができる。
【００４６】
機能性材料収納部１４７は、収納室１００の内部に収納された衣類などの物品の汚染物質や悪臭物質の除去以外の機能を付加するための物質を収納する空間であり、例えば発香物質などを収納しておき、収納室１００に排出させることができる。また、機能性材料がユーザにより周期的に充填されるように形成されてもよい。
【００４７】
収納室１００の内側の上部には、再循環モジュール３００が装着される再循環モジュール装着部１３０が位置する。再循環モジュール３００には、エアショット機能を有するエアショットハンガー（図２ｂ参照）が備えられてもよい。
【００４８】
場合によっては、収納室１００の内側の上部中央にハンガー（図２ｂ参照）が位置し、左右の内側壁面にスラックスハンガー（図示せず）などが位置するようにしてもよい。
【００４９】
機械室２００は、空気清浄モードを実行する空間であり、衣類管理モードで、収納室１００から空気を流入させて濾過し、その後自然加湿空気を循環空気として流出することにより、空気を循環させる機能を有する空間である。
【００５０】
機械室２００は、収納室１００を基準に、どの方向に位置してもよいが、収納室１００の下方に位置することが好ましい。収納室１００で凝縮する凝縮水又は飽和湿度空気が自重により機械室２００に流入するようにすると、凝縮水槽２８０により外部に排出することができるからである。
【００５１】
機械室２００は、吸気口２１０と、第１流路２２０と、ファンユニット２３０と、第２流路２４０と、排気口２５０と、除湿部２６０と、供給水槽２７０と、凝縮水槽２８０とを含む。
【００５２】
吸気口２１０は、外気を機械室２００の内部に吸入する部分である。選択により、開放又は閉鎖することができる。例えば、空気清浄モードでは開放され、衣類管理モードでは閉鎖される。吸気口２１０の位置は、後述する排気口２５０の下方であることが好ましく、機械室２００の最下端に位置することがより好ましい。衣類管理モードで吸気口２１０が閉鎖されると、循環空気の循環流路をより簡潔にすることができ、ドア６００が吸気口２１０を覆わないことが好ましいからである。
【００５３】
吸気口２１０には、清浄フィルターユニット脱着部２１８が位置し、清浄フィルターユニット２１９が位置してもよい。清浄フィルターユニット２１９は、空気清浄モードで吸入する外気を濾過する機能を有し、プリフィルター、ヘパフィルターなどが含まれるが、これらに限定されるものではない。
【００５４】
第１流路２２０は、吸気口２１０、第２流路２４０及びファンユニット２３０に連通する。空気清浄モードで吸気口２１０から吸入して濾過した外気と、衣類管理モードで第２流路２４０を介して吸入した循環空気が第１流路２２０に流入する。
【００５５】
第１流路２２０の内側には、循環フィルターユニット２２９が位置する。循環フィルターユニット２２９は、循環空気を濾過する機能を有する。循環フィルターユニット２２９は加湿フィルターを含み、供給水槽２７０に貯留していた水が加湿フィルターに供給されると、循環空気がこれを通過する過程で水分の供給を受けて自然加湿空気が形成される。ユーザがドア６００を開放して循環フィルター脱着部１２９に接近することにより、循環フィルターユニット２２９を除去又は装着することができる。
【００５６】
多機能収納システムの他の実施形態においては、循環フィルターユニット２２９に備えられる加湿フィルター、又は供給水槽２７０と加湿フィルターを連結するチュービングに熱が加えられ、自然加湿空気の温度が所定レベルまで上昇して収納室１００に供給される。熱を加えるために別途の加熱部材（図示せず）を用いてもよく、後述する除湿部２６０が除湿を行う過程で発生する熱を用いてもよい。
【００５７】
ファンユニット２３０の流入側は、第１流路２２０に連通しており、第１流路２２０に空気を吸入する動力を付与する。ファンユニット２３０の動作により、空気清浄モードで外気が第１流路２２０に吸気され、衣類管理モードで収納室１００の内側の空気が循環空気として第１流路２２０に吸気される。ファンユニット２３０の排出側は、第２流路２４０に連通している。また、排気口２５０が吸気口２１０の上方に位置し、収納室１００が機械室２００の上方に位置するので、排気口２５０及び収納室１００に連通する第２流路２４０は、ファンユニット２３０及び第１流路２２０の上方に位置してもよい。
【００５８】
第２流路２４０には、ファンユニット２３０から濾過した外気又は循環空気が供給される。第２流路２４０は、収納室１００及び排気口２５０のいずれかと選択的に連通し、その制御のために第１流路切替部材２４１及び第２流路切替部材２４２を含む。第１流路切替部材２４１及び第２流路切替部材２４２は、ペアで作動し、流路を変更する。一実施形態において、第１流路切替部材２４１及び第２流路切替部材２４２は、軸を中心に回動する部材であるが、選択的に流路を変更するものであればいかなるメカニズムを採用してもよい。
【００５９】
第１流路切替部材２４１及び第２流路切替部材２４２は、空気清浄モードでは第２流路２４０が収納室１００から遮断されて排気口２５０に連通するようにし（図８参照）、衣類管理モードでは第２流路２４０が収納室１００に連通して排気口２５０から遮断されるようにする（図９参照）。すなわち、衣類管理モードでは、収納室１００の内側には第２流路２４０の循環空気が第１流路切替部材２４１の上方に位置する循環空気流入口１４１から流入し、収納室１００の内側の循環空気は第２流路切替部材２４２の上方に位置する循環空気流出口１４２から再び第２流路２４０に流出することにより循環する。詳細は、作動モードに関する説明と共に後述する。
【００６０】
排気口２５０は、第２流路２４０から送られた濾過した外気を外部に吐出する。排気口２５０に対応するドア６００の外側には排気ドア６５０が位置し、排気口２５０を開閉することができる。例えば、空気清浄モードでは、排気ドア６５０が開放され、排気口２５０から濾過した外気が吐出され、衣類管理モードでは、排気ドア６５０が閉鎖される。
【００６１】
除湿部２６０は、収納室１００を流動する循環空気を除湿する機能を有する。除湿を行うと、収納室１００の内部及び循環空気を快適に維持し、再汚染を防止することができる。収納室１００内の循環空気を除湿してもよく、収納室１００から機械室２００に流動した循環空気を除湿してもよい。除湿部２６０は、例えばヒートポンプであってもよいが、これに限定されるものではない。除湿部２６０が除湿を行う過程で熱が発生することがあるが、その熱を捨てるのではなく、衣類管理モードで用いてもよい（図６〜図９に一点鎖線で表示）。一例として、除湿部２６０が除湿する過程で発生する熱を用いて収納室１００を約５０℃〜７０℃に加熱することにより、循環空気流入口１４１を介して第２流路２４０から常温の循環空気が流入すると、衣類などの汚染物質や悪臭物質を除去することができる。他の例として、前述したように、除湿部２６０が除湿する過程で発生する熱が循環フィルターユニット２２９の加湿フィルターに供給されるか、又は供給水槽２７０と加湿フィルターを連結するチュービングに供給されることにより、循環空気として機能する自然加湿空気を加熱することができる。前述した温度は例であり、これらに限定されるものではなく、様々に変更されることは言うまでもない。また、除湿部２６０と循環フィルターユニット２２９（すなわち、加湿フィルター）は、互いに妨害しないように、いずれか一方のみ選択的に作動させる。
【００６２】
多機能収納システムの他の実施形態においては、衣類管理モードにおいてファンユニット２３０及び除湿部２６０の除湿過程で発生する熱を用いるか、又は別途の加熱部材（図示せず）により温風が生成され、収納室１００に吐出されるように形成されてもよい。循環空気は後述する循環フィルターユニット２２９により水分が供給されて自然加湿空気になり、それがファンユニット２３０により供給される温風と組み合わされることにより、収納された衣類などの脱臭及び汚染除去が行われる。このために、除湿部２６０又は別途の加熱部材（図示せず）は、循環空気流入口１４１に隣接するように位置してもよい。また、自然加湿空気の量及び温風の量は、どちらもユーザが制御できるように形成されるので、収納される衣類などの種類及び材質に応じて最適化された制御方法が別途のモードで備えられる。
【００６３】
一方、多機能収納システムのさらに他の実施形態においては、機械室２００が外気及び収納室１００の両方に連通する全体循環モード、並びに機械室２００が外気及び収納室１００の両方から遮断される全体遮断モードをさらに含んでもよいが、それらについては後述する。
【００６４】
供給水槽２７０は、循環フィルターユニット２２９に備えられる加湿フィルターに供給する水を貯留する。このために、循環フィルターユニット２２９とチュービングで連結される。凝縮水槽２８０は、収納室１００で生成された凝縮水を溜めて貯留するか、又は収納室１００で生成された飽和湿度空気が機械室２００の第１流路２２０、第２流路２４０などに流入して凝縮する過程で生成された凝縮水を溜めて貯留する。このために、収納室１００及び／又は第１流路２２０及び／又は第２流路２４０とチュービングで連結される。
【００６５】
水を補充したり、溜まった凝縮水を捨てるために、ユーザが供給水槽２７０及び凝縮水槽２８０の両方に容易に接近できることが好ましい。このために、供給水槽２７０及び凝縮水槽２８０は機械室２００の前面に位置することが好ましく、ユーザがドア６００を開放すると、排気口２５０の下方に位置する各水槽に備えられる取っ手を用いてこれらを容易に脱着することができる。
【００６６】
再循環モジュール３００は、空気清浄モードで収納室１００の循環空気の再循環を助けると共に、衣類などの直接乾燥を助ける機能を有する。また、機械室２００の作動の有無とは独立した動作を行い、収納室１００の内部に収納された衣類などの埃を払うための動作を行ってもよい。
【００６７】
多機能収納システムのドアの内側の水滴付着防止のための乾燥方法についての説明
図５は本発明による多機能収納システムのドアの内側の水滴付着防止のための乾燥方法を示すフローチャートである。
【００６８】
図５に示すように、本発明による多機能収納システムのドアの内側を乾燥させる方法は、ドア６００が閉鎖された状態で吸気口２１０及び排気口２５０が開放されるステップＳ１００と、機械室２００に備えられるファンユニット２３０が作動し、外気が吸気口２１０から吸入され、その後排気口２５０から排出され、排気口２５０から排出される空気によりドア６００の内側が乾燥するステップＳ１１０とを含む。その前提として、機械室２００には外気に連通する吸気口２１０及び排気口２５０が備えられ、ドア６００が閉鎖された状態で排気口２５０がドア６００の内面に対向する構造に形成される。
【００６９】
このように、機械室２００に備えられるファンユニット２３０が稼働することにより、乾燥空気である外気が吸気口２１０から吸入され、その後排気口２５０から排出されてドア６００の内側に乾燥空気を供給するように形成される。これは、ドア６００が閉鎖された状態でドア６００と機械室２００の前面間に存在する所定の空間に付着した水滴を乾燥させるためである。
【００７０】
もし、このような乾燥作業を行わなければ、高温高湿の循環空気によりドア６００の内側に水滴が付着し、それは多機能収納システムが位置する空間の床面に落水するという問題をもたらす。
【００７１】
なお、本発明による多機能収納システムのドアの内側の水滴付着防止のための乾燥方法は、設計者の選択により異なる設定にされてもよいが、トータルで４５分間かかる衣類管理モード（ベーシックモード）では約６分間行われることが好ましく、トータルで９５分間かかる衣類管理モード（プロモード）では約１１分間行われることが好ましい。
【００７２】
ステップＳ１００は、排気ドア６５０が開放されている場合は排気ドア６５０が閉鎖されるステップＳ１０２をさらに含んでもよい。これは、空気清浄モードで排気ドア６５０が開放され、排気ドア６５０が開放されたか否か確認しないまま本発明による乾燥方法を行うと、ファンユニット２３０により排気口２５０から排出される空気が全て排気ドア６５０から排出されてドア６００の内側が乾燥しないことがあるからである。よって、ドア６００の内側の乾燥効率を最大化させるために、排気ドア６５０が開放されたか否かを確認し、その後排気ドア６５０が開放されている場合は排気ドア６５０を閉鎖する必要がある。
【００７３】
また、ステップＳ１００は、収納室１００及び機械室２００の連通が遮断されるステップＳ１０４をさらに含んでもよい。もし、収納室１００及び機械室２００が連通していない状態でファンユニット２３０が稼働すると、ファンユニット２３０により吐出される空気が排気口２５０側に集中するのではなく、収納室１００に循環するので、ドア６００の内側の乾燥効率が低下するからである。
【００７４】
なお、本発明による多機能乾燥システムの収納室１００の上端部には、再循環ファンを含む再循環モジュール３００が備えられ、再循環モジュール３００は、収納室１００の内部の下方に空気を吐出するように形成され、ステップＳ１１０において、ファンユニット２３０が作動すると、再循環ファンが同時に作動する。ここで、収納室１００と機械室２００間の連通が遮断されることが好ましく、この状態で再循環ファンが作動することにより、収納室１００が乾燥すると共に、ドア６００の内側の上部が乾燥する。
【００７５】
また、本発明による多機能乾燥システムは、湿度センサ（図示せず）をさらに含んでもよい。よって、湿度センサを用いて多機能乾燥システムが位置する空間の湿度を検知することができ、前記空間の湿度が相対的に高い場合は、強制的に本発明による多機能収納システムのドアの内側の水滴付着防止のための乾燥方法が行われないように形成されてもよい。
【００７６】
多機能収納システムの作動モードについての説明
図６〜図９を参照して、本発明による多機能収納システムの作動モードについて説明する。
【００７７】
まず、「ドア乾燥モード」について説明する。図６及び図７を参照する。
【００７８】
ドア乾燥モードは、前述したように、ドア６００の内側又はドア６００の内側と機械室２００の前面間の空間に付着する水滴を除去するモードである。ドア乾燥モードを実行するためには、ドア６００が閉鎖された状態で排気ドア６５０を閉鎖する必要がある。また、そのためには乾燥空気が必要であるので、乾燥空気である外気を引き込むために、吸気口２１０を開放する必要がある。これは、排気ドア６５０が閉鎖された状態で後述する空気清浄モードを実行すると言ってもよい。ただし、後述する空気清浄モードは、排気ドア６５０の開放が必須であるという点で異なる。
【００７９】
図６に示すように、吸気口２１０から流入した乾燥空気である外気は、第１流路２２０を介してファンユニット２３０を通過し、その後第２流路２４０を介して排気口２５０から吐出される。ここで、排気ドア６５０が閉鎖された状態であるので、排気口２５０から吐出された空気は、外部にすぐに排出されるのではなく、ドア６００と機械室２００間の空間を反転しながら流動する。当然ながら、吸気口２１０から流入する外気は、ファンユニット２３０の作動により流入するものであるが、ファンユニット２３０が作動しない場合も、吸気口２１０が開放された状態では自然流入する。
【００８０】
また、第１流路切替部材２４１及び第２流路切替部材２４２は、第２流路２４０を排気口２５０又は収納室１００に選択的に連通させるように形成される。本発明による多機能収納システムのドア乾燥モードでは、第１流路切替部材２４１及び第２流路切替部材２４２により第２流路２４０が排気口２５０に連通する状態でファンユニット２３０が作動するので、ドア６００の内側を乾燥させることができる。
【００８１】
なお、本発明による多機能収納システムのドア乾燥モードは、衣類管理モードが終了した後に自動的に始まり、予め設定された時間だけ作動することが好ましい。
【００８２】
図７は、機械室２００のファンユニット２３０が作動しているときに、収納室１００の再循環モジュール３００の再循環ファンが同時に作動している状態を示す。こうすることにより、前述したように、排気ドア６５０が閉鎖された状態でファンユニット２３０及び再循環モジュール３００の再循環ファンが同時に作動するので、ドア６００の内側の乾燥効率を向上させることができる。
【００８３】
次に、「空気清浄モード」について説明する。図８を参照する。
【００８４】
空気清浄モードは、収納室１００とは独立して、機械室２００のみ作動して外気を清浄にする機能を実行するモードである。すなわち、外気が汚染された状態で収納室１００の内部に清潔な衣類などが位置することがあるので、収納室１００に外気を流入させない作動モードである。
【００８５】
ユーザが空気清浄モードを選択すると、ドア６００の排気ドア６５０が開放され、吸気口２１０も開放される。
【００８６】
機械室２００の第１流路切替部材２４１と第２流路切替部材２４２が動作することにより、第２流路２４０が排気口２５０に連通し、収納室１００や第１流路２２０からは遮断される。この過程では、収納室１００が機械室２００とは独立した空間になる。
【００８７】
ファンユニット２３０が作動する。ファンユニット２３０の作動により、外気が吸気口２１０から第１流路２２０に流入し、ファンユニット２３０の方向に向かう。吸気口２１０を通過する過程において、吸気口２１０に位置する清浄フィルターユニット２１９により外気が濾過される。第１流路２２０を通過する過程において、第１流路２２０に位置する循環フィルターユニット２２９によりさらに濾過される。ここで、循環フィルターユニット２２９に位置する加湿フィルターは、ユーザの選択により、加湿機能を実行してもよく、実行しなくてもよい。外気を加湿する場合は、衣類管理モードと同様に供給水槽２７０が水を加湿フィルターに供給する。ファンユニット２３０を通過した濾過された外気は、第２流路２４０を通過して排気口２５０から外部に排気される。
【００８８】
この過程が繰り返されると、本発明による多機能収納システムは、一種の空気清浄機の機能を果たす。外気は継続して機械室２００に流入して濾過され、濾過された空気が継続して排気される。
【００８９】
ユーザがドア６００を開放するか否かに関係なく、空気清浄モードを実行することができるので好ましい。空気清浄モードが作動中であっても、ユーザは自由にドア６００を開放して収納室１００の内側に衣類などを配置することができ、衣類などを取り出すことができる。いつでも、供給水槽２７０に水を補充することができ、凝縮水槽２８０の水を捨てることができる。ドア６００が吸気口２１０をカバーしておらず、排気口２５０がドア６００の内側で開放された状態であるので、ドア６００の開放が空気清浄モードの作動に影響を与えない。
【００９０】
ユーザは、多機能収納システムから遠く離れた位置においても、すなわち制御部６１０が見えない位置においても、排気ドア６５０が開放されているか否かのみ確認すれば、現在空気清浄モードで動作しているのか、衣類管理モードで動作しているのかを確認することができる。
【００９１】
空気清浄モード又は衣類管理モードの持続的作動などによりフィルターが汚染されても、ユーザは容易に交換することができる。清浄フィルターユニット２１９は、ドア６００の下方の吸気口２１０に手を入れて交換することができる。循環フィルターユニット２２９は、ドア６００を開放して循環フィルター脱着部１２９を用いて交換することができる。
【００９２】
「衣類管理モード」について説明する。図９を参照する。
【００９３】
衣類管理モードは、収納室１００の内側に位置する衣類などから汚染物質や悪臭物質を除去するモードである。自然加湿空気を循環空気として循環させることにより、収納室１００の内部を湿潤な環境にし、衣類などの汚染物質や悪臭物質を湿潤空気と共に除去し、それらを機械室２００に流入させて凝縮水として排出する。この過程において、除湿部２６０が収納室１００を流動する循環空気の除湿を行う。場合によっては、除湿部２６０から発生した熱を用いて収納室１００の内部を加熱するようにしてもよい。すなわち、衣類管理モードでは、循環フィルターユニット２２９及び除湿部２６０がそれぞれ予め設定された時間だけ交互に作動し、収納室１００の加湿及び除湿が交互に行われる。
【００９４】
ユーザが衣類管理モードを選択すると、ドア６００の排気ドア６５０が閉鎖され、吸気口２１０も閉鎖される。すなわち、衣類管理モードでは、収納室１００内の空気は実質的に外部に排出されない。
【００９５】
除湿部２６０は、収納室１００を流動する循環空気を除湿する。場合によっては、その過程で発生した熱により収納室１００の内部を加熱するようにしてもよく、その温度は５０〜７０℃であるが、これに限定されるものではない。機械室２００の第１流路切替部材２４１と第２流路切替部材２４２が動作することにより、第２流路２４０が収納室１００及び第１流路２２０に連通し、排気口２５０からは遮断される。循環フィルターユニット２２９に備えられる加湿フィルターが水分を含むように、供給水槽２７０の水が加湿フィルターに供給される。この過程において、加湿フィルター又は加湿フィルターに供給される水は、除湿部２６０又は別途の加熱部材（図示せず）から発生する熱により加熱される。
【００９６】
除湿と同時に又は除湿の後に、ファンユニット２３０が作動する。ファンユニット２３０の作動により、収納室１００の内部の空気が循環空気流出口１４２から第２流路２４０に流入し、再び第１流路２２０に流入してファンユニット２３０の方向に向かう。この過程において、空気は、循環フィルターユニット２２９の加湿フィルターを通過して自然加湿空気となる。それが再び第２流路２４０を通過して循環空気流入口１４１から収納室１００に供給される。
【００９７】
この過程が繰り返されると、収納室１００と機械室２００間で循環空気が継続して循環する。循環空気が収納室１００で汚染物質や悪臭物質を含むことになるが、それらが外部に排出されないので、ユーザに快適な環境を提供することができる。それと同時に、汚染物質や悪臭物質を含む循環空気が一旦機械室２００に流入すると、循環フィルターユニット２２９で濾過され、凝縮水に凝縮して凝縮水槽２８０に別に溜まるため、収納室１００に汚染物質や悪臭物質が再び供給される再汚染現象が発生しないので好ましい。
【００９８】
一方、衣類管理モードでは、ファンユニット２３０及び除湿部２６０又は別途の加熱部材（図示せず）により温風が生成され、収納室１００に吐出される。自然加湿空気が収納室１００にまず吐出され、自然加湿空気の吐出が中断されると、温風が収納室１００に吐出されるように形成されてもよい。
【００９９】
再循環モジュール３００は、循環空気の循環を補助する。再循環モジュール３００が収納室１００の上側で循環空気を再循環させるので、収納室１００全体にわたって対流現象がより円滑に起こる。
【０１００】
本発明のさらに他の実施形態において、機械室２００の内部の機構は作動せず、再循環モジュール３００のみ作動すると、収納室１００に収納された衣類などの埃を払う機能のみ実行することができる。
【０１０１】
前述した衣類管理モードについての説明と図１０〜図１４を参照して、本発明による多機能収納システムに除湿ファンが備えられる実施形態について詳細に説明する。本実施形態は、ドアの内側の水滴付着防止のための除湿ファンを備える構造であり、具体的には排気口２５０の内側に除湿ファン２９０が備えられる。
【０１０２】
衣類管理モードを実行すると、循環フィルターユニット２２９及び除湿部２６０が選択的に作動し、予め設定された時間だけ循環フィルターユニット２２９及び除湿部２６０が交互に作動し、収納室１００の加湿及び除湿が繰り返し行われる。このような過程において、収納室１００内には高温高湿の空気が循環し、その循環空気は、開放された循環空気流入口１４１及び循環空気流出口１４２を介して収納室１００及び機械室２００を循環する。
【０１０３】
高温高湿の循環空気が収納室１００と機械室２００間を循環する過程で外部に流失することを防止するために、排気口２５０又は収納室１００に選択的に連通させる第２流路切替部材２４２は、第２流路２４０が収納室１００に連通し、かつ排気口２５０からは遮断されるように作動することができる。ただし、排気口２５０が遮断された状態でも、各部材の隙間から循環空気が流出することがあるので、設計者の意図に反して、排気口２５０から高温高湿の空気の一部が漏れる。ここで、排気ドア６５０が閉鎖された状態であるため、排気口２５０から漏れる高温高湿の循環空気が機械室２００とドア６００間の隙間又は空間に滞留するので、機械室２００とドア６００の内側間に水滴が付着する現象が発生する。
【０１０４】
本実施形態は、このような水滴付着現象を防止するために、衣類管理モードを実行する際に排気口２５０から漏れる高温高湿の空気を乾燥させる除湿ファン２９０を備える。排気口２５０は、多機能収納システムの前方に所定の長さだけ延びるように形成され、除湿ファン２９０は、排気口２５０内の一側に備えられることが好ましい。
【０１０５】
ここで、除湿ファン２９０は、排気口２５０から吐出される空気の方向を基準に、排気口２５０の側端部に備えられ、排気口２５０から吐出される空気の方向と垂直な方向に送風するように形成される。このように、除湿ファン２９０により排気口２５０にエアカーテンが形成されるので、排気口２５０から循環空気が漏れる現象自体を抑制することができ、循環空気が少量漏れても、除湿ファン２９０が乾燥させるので、ドア６００の内側に高温高湿の空気が滞留する現象を防止することができる。
【０１０６】
一方、除湿ファン２９０の送風方向は、排気口２５０から吐出される空気の方向と垂直な方向になるようにするが、設計者の選択により、鋭角方向に送風するように構成されてもよい。
【０１０７】
また、図１０〜１４には除湿ファン２９０が排気口２５０内の一端部に１つだけ備えられるものを示すが、除湿ファン２９０は、一対で備えられてもよく、また対向する方向に送風するように構成されてもよい。
【０１０８】
除湿ファン２９０は、衣類管理モードが開始すると自動的に作動し、衣類管理モードが終了すると自動的に作動中止されるように形成されてもよい。これは、後述する多機能収納システムの空気清浄モードでは清浄フィルターユニット２１９により浄化された空気が排気口２５０から強制吐出されるように形成されるので、排気口２５０から排出される空気に対してエアカーテンを形成する必要がないからである。
【０１０９】
すなわち、除湿ファン２９０は、高温高湿の空気が収納室１００及び機械室２００を循環する衣類管理モードにおいて、前記高温高湿の空気が排気口２５０から漏れる現象を防止するためのものであるので、排気口２５０が閉鎖されると除湿ファン２９０が作動を開始し、排気口２５０が開放されている場合は除湿ファン２９０の作動が中止されるように形成される。
【０１１０】
ここで、除湿ファン２９０の大きさ、形状及び位置は、設計者の選択により変更することができ、除湿ファン２９０は、排気口２５０が閉鎖された状態で第２流路２４０を流動する空気の湿度及び温度に影響を与えないように形成されることが好ましい。
【０１１１】
なお、本発明による多機能収納システムのさらに他の実施形態は、前述した衣類管理モード及び空気清浄モード以外に、「全体循環モード」及び「全体遮断モード」をさらに含む。
【０１１２】
「全体循環モード」は、機械室２００に備えられる清浄フィルターユニット２１９が収納室１００はもとより多機能収納システムの外気にも全て連通するモードである。清浄フィルターユニット２１９には、収納室１００の内側の空気が流入して濾過されるだけでなく、多機能収納システムの外気も流入して濾過される。このような循環モードは、室内の空気（すなわち、外気）及び収納室１００の内部の空気の質がそれほど悪くない場合や、速く空気を循環させて浄化させる場合に有利である。
【０１１３】
「全体遮断モード」は、全体循環モードとは逆に、機械室２００が収納室１００はもとより多機能収納システムの外気にも全て連通しないモードである。例えば、清浄フィルターユニット２１９の性能が低下して交換が必要な場合や、収納室１００の内部及び室内の空気の濾過が特に必要でない場合や、機械室２００の予熱のみ必要な場合に有利である。
【０１１４】
以上、本明細書には、本発明を当業者が容易に理解して再現できるように、図面を参照して本発明の実施形態について説明したが、これは例示的なものにすぎず、当業者であれば本発明の実施形態から様々な変形及び均等な他の実施形態が可能であることを理解するであろう。よって、本発明の保護範囲は、請求の範囲によって定められるべきである。
【符号の説明】
【０１１５】
１００  収納室
１２９  循環フィルター脱着部
１３０  再循環モジュール装着部
１４１  循環空気流入口
１４２  循環空気流出口
１４７  機能性材料収納部
２００  機械室
２１０  吸気口
２１８  清浄フィルターユニット脱着部
２１９  清浄フィルターユニット
２２０  第１流路
２２９  循環フィルターユニット
２３０  ファンユニット
２４０  第２流路
２４１  第１流路切替部材
２４２  第２流路切替部材
２５０  排気口
２６０  除湿部
２７０  供給水槽
２８０  凝縮水槽
３００  再循環モジュール
５００  ケーシング
６００  ドア
６１０  制御部
６５０  排気ドア
【図１】
2021531848.tif 000003
【図２ａ】
2021531848.tif 000004
【図２ｂ】
2021531848.tif 000005
【図３】
2021531848.tif 000006
【図４】
2021531848.tif 000007
【図５】
2021531848.tif 000008
【図６】
2021531848.tif 000009
【図７】
2021531848.tif 000010
【図８】
2021531848.tif 000011
【図９】
2021531848.tif 000012
【図１０】
2021531848.tif 000013
【図１１】
2021531848.tif 000014
【図１２】
2021531848.tif 000015
【図１３】
2021531848.tif 000016
【図１４】
2021531848.tif 000017
【手続補正書】
【提出日】令和3年2月25日(2021.2.25)
【手続補正１】
【補正対象書類名】特許請求の範囲
【補正対象項目名】全文
【補正方法】変更
【補正の内容】
【特許請求の範囲】
【請求項１】
収納室と、前記収納室の一側に備えられる機械室と、
前記収納室と前記機械室を連通させる循環空気流入口及び循環空気流出口と、
前記収納室と前記機械室の前面に備えられるドアと、を含み、
前記機械室は、
外気に連通する吸気口及び排気口と、
外気を前記吸気口から吸入して前記排気口から排出する、又は前記収納室の内部の空気を前記循環空気流入口から吸入して前記循環空気流出口から排出するファンユニットと、を含み、
前記ドアが閉鎖され、前記吸気口及び排気口が開放され、前記循環空気流入口及び前記循環空気流出口が閉鎖された状態で前記ファンユニットが作動して前記ドアの内側を乾燥させる、
多機能収納システム。
【請求項２】
前記収納室の上端部には、再循環ファンを含む再循環モジュールが備えられ、
前記再循環モジュールは、前記収納室の内部の下方に空気を吐出し、
前記収納室を乾燥させる収納室乾燥モードでは、
前記循環空気流入口及び前記循環空気流出口が閉鎖された状態で前記再循環ファンが作動し、
前記ドアの内側を乾燥させるドア乾燥モード及び前記収納室乾燥モードが同時に実行される、
請求項１に記載の多機能収納システム。
【請求項３】
前記機械室は、
前記吸気口から吸気された外気を濾過する清浄フィルターユニットをさらに含み、
前記ドアは、
一側に排気ドアが形成され、前記吸気口を除く前記機械室及び前記収納室の前面をカバーするように形成され、
外気を濾過する空気清浄モードでは、
前記循環空気流入口及び前記循環空気流出口が閉鎖され、前記吸気口、前記排気口及び前記排気ドアが開放され、
前記ドア乾燥モード及び前記収納室乾燥モードでは、前記排気ドアが閉鎖される、
請求項２に記載の多機能収納システム。
【請求項４】
前記排気ドアは、前記ドアが閉鎖されたときに前記機械室の前記排気口に対向する位置に形成される、
請求項３に記載の多機能収納システム。
【請求項５】
請求項１に記載の多機能収納システムを用いてドアの内側を乾燥させる方法であって、
前記ドアが閉鎖された状態で前記ドアの内面に対向する前記排気口及び前記吸気口が全て開放されるステップと、
前記機械室に備えられるファンユニットが作動し、外気が前記吸気口から吸入され、その後前記排気口から排出され、前記排気口から排出される空気により前記ドアの内側を乾燥させるステップと、を含む、
多機能収納システムのドアの内側を乾燥させる方法。
【請求項６】
前記ドアは、
一側に排気ドアが形成され、前記吸気口を除く前記機械室及び前記収納室の前面をカバーするように形成され、
前記ドアが閉鎖された状態で前記ドアの内面に対向する前記排気口及び前記吸気口が全て開放されるステップは、
前記排気ドアが開放されている場合に前記排気ドアが閉鎖されるステップをさらに含む、
請求項５に記載の多機能収納システムのドアの内側を乾燥させる方法。
【請求項７】
前記ドアが閉鎖された状態で前記ドアの内面に対向する前記排気口及び前記吸気口が全て開放されるステップは、
前記収納室及び前記機械室の連通が遮断されるステップをさらに含む、
請求項５に記載の多機能収納システムのドアの内側を乾燥させる方法。
【請求項８】
前記収納室の上端部には、再循環ファンを含む再循環モジュールが備えられ、
前記再循環モジュールは、前記収納室の内部の下方に空気を吐出し、
前記機械室に備えられるファンユニットが作動し、外気が前記吸気口から吸入され、その後前記排気口から排出され、前記排気口から排出される空気により前記ドアの内側を乾燥させるステップは、前記ファンユニットが作動すると、前記再循環ファンが同時に作動する、
請求項７に記載の多機能収納システムのドアの内側を乾燥させる方法。
【請求項９】
前記収納室を流動する循環空気を除湿する除湿部と、
前記循環空気流入口から前記収納室に供給される循環空気に水分を供給する循環フィルターユニットと、
前記排気口側に備えられる除湿ファンと、をさらに含み、
前記除湿ファンは、前記排気口から流出する循環空気を乾燥させる、
請求項１に記載の多機能収納システム。
【請求項１０】
前記除湿ファンは、
前記排気口から吐出される空気の方向を基準に、前記排気口の端部側に備えられる、
請求項９に記載の多機能収納システム。
【請求項１１】
前記除湿ファンは、
前記排気口の両端部側にそれぞれ備えられ、対向する方向に送風するように形成される、
請求項１０に記載の多機能収納システム。
【請求項１２】
前記除湿ファンは、
前記排気口内の側端部に備えられ、前記排気口から吐出される空気の方向と垂直な方向に送風するように形成される、
請求項９に記載の多機能収納システム。
【請求項１３】
前記除湿ファンは、
前記循環空気流入口及び循環空気流出口が開放され、前記排気口が閉鎖された状態で、前記循環フィルターユニットにより生成された自然加湿空気が前記ファンユニットにより前記収納室に供給されて循環する際に作動する、
請求項９に記載の多機能収納システム。
【請求項１４】
前記機械室は、
ファンユニットに連通する第１流路と、
前記排気口、ファンユニット、第１流路及び収納室にそれぞれ連通する第２流路と、
前記循環空気流入口を開閉する第１流路切替部材と、
前記循環空気流出口を開閉する第２流路切替部材と、をさらに含み、
前記第１流路切替部材及び第２流路切替部材は、前記第２流路を前記排気口又は前記収納室に選択的に連通させ、
前記除湿ファンは、
前記第２流路及び前記収納室が連通する状態で作動する、
請求項１３に記載の多機能収納システム。
【国際調査報告】
2021531848.tif 000018
2021531848.tif 000019
2021531848.tif 000020
2021531848.tif 000021